(57)【要約】【課題】  パターンデータテーブルやビットマップ画像への展開回路を持つ必要が無く、しかも、確実に元のデータに復元することが可能なファクシミリ装置を提供する。【解決手段】  データを蓄積するメモリ１０４、メモリ１０４から外部保存すべきデータを読み出し、データの１ビット毎に同じビットデータを主走査方向に所定回数繰り返し、且つ、この主走査方向のデータ列をライン単位で副走査方向に所定回数繰り返すことによって保存用パターンデータに変換するデータ変換手段１０５、変換された保存用パターンデータを記録紙に印刷する記録部１０６を具備する。記録紙上に印刷されたデータを再度メモリ１０４に蓄積する場合には、データ変換手段１０５で元のデータに復元し、メモリ１０４に蓄積する。【選択図】        図１
2005109667.tif 000002
【特許請求の範囲】
【請求項１】
データを蓄積するメモリを有するファクシミリ装置において、前記メモリから外部保存すべきデータを読み出し、データの１ビット毎に同じビットデータを主走査方向に所定回数繰り返し、且つ、この主走査方向のデータ列をライン単位で副走査方向に所定回数繰り返すことによって保存用パターンデータに変換する手段と、前記変換手段で変換された保存用パターンデータを記録紙に印刷する手段とを備えたことを特徴とするファクシミリ装置。
【請求項２】
更に、前記記録紙に印刷された保存用パターンデータを読み取り、元のデータに復元する手段と、前記復元手段で復元されたデータを蓄積する手段とを有することを特徴とする請求項１に記載のファクシミリ装置。
【請求項３】
前記変換手段は、前記保存用パターンデータの所定ビット毎にチェックサムを付加することを特徴とする請求項１に記載のファクシミリ装置。
【請求項４】
前記復元手段は、データの１ビット毎に同じビットデータを主走査方向と副走査方向に所定回数繰り返したデータブロック毎にデータ０と１をカウントし、数の多い方のデータに変換することを特徴とする請求項２に記載のファクシミリ装置。
【請求項５】
前記復元手段は、チェックサムが一致しない場合には、エラーとして再度記録紙を読み取らせるようにすることを特徴とする請求項２に記載のファクシミリ装置。
【請求項６】
前記復元手段は、データブロックのデータ０と１が同数の場合には、エラーとして再度記録紙を読み取らせるようにすることを特徴とする請求項２に記載のファクシミリ装置。
【発明の詳細な説明】
【技術分野】
【０００１】
本発明は、ファクシミリ装置に関し、特に、ファクシミリ装置のメモリデータを外部保存するためのデータ保存技術に関するものである。
【背景技術】
【０００２】
従来、ファクシミリ装置においては、メモリに蓄積された受信文書は記録紙にプリントアウトすればメモリから消去するのが一般的である。最近では、ディスプレイに受信文書を表示するファクシミリ装置が出回っており、この装置の場合には、残しておきたい文書を記録紙にプリントアウトせずにメモリにそのまま蓄積しておくこともある。この場合には、メモリの残り容量が減ってしまい、新規に蓄積できるメモリ容量が制限されてしまう。
【０００３】
また、メモリが蓄積された画像データで一杯になった時に再び蓄積できるようにするためには、メモリデータを消去して空き領域を作り出す必要がある。この場合には、消去された画像データは二度と印刷できない。消去する前に印刷しておけば、その記録画のコピーをとることはできるが、元の画像とは全く同じにはならない。
【０００４】
一方、ファクシミリ装置をメモリカードやフロッピー（登録商標）ディスク等に接続できるようにすれば、メモリに蓄積されたデータを外部に保存することが可能である。しかし、メモリカードやフロッピー（登録商標）ディスク等に接続するようにすると、装置が高価になり大型化してしまう。
【０００５】
そこで、保存すべきデータを符号化する等の処理を行い、それを用紙等に印刷することでデータを保存する方法がある。例えば、特開２００２−２３０４９４号公報に記載されているように、デジタルデータとして保存すべき画像ファイルを印刷パターンデータに変換し、これをプリンタで印刷用紙に印刷パターンとして印刷し、更に、スキャナで印刷パターンを読み取り、データ復元手段で画像ファイルに復元する方法がある（特許文献１参照）。
【０００６】
また、特開平１０−２２４５４０号公報に記載されているように、文字又は図形と、当該文字又は図形の文書データを符号化した符号化データとを印刷し、その印刷された文書を読み取って画像データを生成する方法がある（特許文献２参照）。
【特許文献１】特開２００２−２３０４９４号公報（段落００４２〜００４６等）
【特許文献２】特開平１０−２２４５４０号公報（段落０００５、０００８〜００１０等）
【発明の開示】
【発明が解決しようとする課題】
【０００７】
特許文献１、２の方法は、いずれもデジタルデータを印刷パターンデータ或いは符号化データ等に変換して記録紙等に印刷する方法であるが、特許文献１の方法では４ｂｉｔ分の２進データにパターンデータを割り当てるので、パターンデータテーブルで必要である。また、特許文献１、２のパターンデータは、図形や記号といった２次元データであり、印刷時にビットマップ画像に展開しなければならない。
【０００８】
本発明は、上記従来の問題点に鑑みなされたもので、その目的は、パターンデータテーブルやビットマップ画像への展開回路を持つ必要が無く、しかも、確実に元のデータに復元することが可能なファクシミリ装置を提供することにある。
【課題を解決するための手段】
【０００９】
本発明は、上記目的を達成するため、データを蓄積するメモリを有するファクシミリ装置において、前記メモリから外部保存すべきデータを読み出し、データの１ビット毎に同じビットデータを主走査方向に所定回数繰り返し、且つ、この主走査方向のデータ列をライン単位で副走査方向に所定回数繰り返すことによって保存用パターンデータに変換する手段と、前記変換手段で変換された保存用パターンデータを記録紙に印刷する手段とを備えたことを特徴とする。
【発明の効果】
【００１０】
本発明によれば、メモリに蓄積されたデータを簡単に外部保存することができるので、メモリから消去せずに残しておきたい画像データがあるため新たにメモリに蓄積できる画像データの量が制限されてしまうことがない。
【００１１】
また、メモリに蓄積された画像データをメモリカードやフロッピー（登録商標）ディスク等の外部記憶装置に保存するのではなく、受信の時と同様に記録紙に保存するため、新たに保存のための回路等が増加せず、簡単な構成でデータの外部保存を行うことができる。
【００１２】
更に、データの１ビット毎に同じビットデータを主走査方向に所定回数繰り返し、且つ、この主走査方向のデータ列をライン単位で副走査方向に所定回数繰り返すことによって保存用パターンデータに変換して記録紙上に保存するため、パターンデータテーブルやビットマップ画像への展開回路を持つ必要が無い。また、データの１ビット毎に同じビットデータを主走査方向と副走査方向に所定回数繰り返したデータブロック毎にデータ０と１をカウントし、数の多い方のデータに変換することにより、保存用パターンデータを確実に元のデータに復元することができる。
【発明を実施するための最良の形態】
【００１３】
次に、発明を実施するための最良の形態について図面を参照して詳細に説明する。図１は本発明によるファクシミリ装置の一実施形態を示すブロック図である。図１において、１０１は原稿（図示せず）を読み取り、２値データに変換する読み取り部である。１０２は読み取り部１０１で読み取られた読み取りデータを圧縮したり、或いは図示しない受信部で受信した受信データ、後述するメモリ１０４に蓄積されたデータの伸張等を行うコーデックである。
【００１４】
メモリ１０４はコーデック１０２で圧縮された読み取りデータやモデム１０３で復号された受信データ、或いは後述するデータ変換部１０５で復元された圧縮データ等を蓄積する。また、１０６はコーデック１０２で伸張された受信データやメモリ１０４に蓄積されたデータ、或いはデータ変換部１０５で変換されたパターンデータを記録紙に印刷する記録部である。データ変換部１０５は詳しく後述するようにメモリ１０４に蓄積された圧縮データを保存用のパターンデータに変換し、読み取り部１０１で読み取られたパターンデータを元の圧縮データに復元する。
【００１５】
次に、本実施形態によるファクシミリ装置の動作について図１、図２、図３を参照しながら説明する。まず、ユーザーがファクシミリ装置の装置メニューによりメモリ１０４に蓄積された画像データの中から外部保存したい画像データを選択すると、図示しないメモリ制御部によりそのデータがメモリ１０４から読み出される。メモリ１０４から読み出されたデータはデータ変換部５に送られ、保存用のパターンデータに変換される。
【００１６】
図２はデータ変換部１０５のデータ変換の一例を示す。なお、図２はメモリ１０４のデータ１１００１…を保存用データに変換する例を示す。データ変換部１０５はメモリ１０４に蓄積されたデータを先頭から８００ビット毎に区切ってチェックサム（図示せず）を付加する。また、図２に示すようにビット単位で同じデータを２回繰り返し、更に、ライン単位で同じデータ列を副走査方向に２回繰り返すことによって保存用のパターンデータに変換する。
【００１７】
図２の例では、ビット単位で同じデータを副走査方向に２回繰り返しているので、データ１１００１…がデータ１１１１００００１１…に変換される。また、ライン単位で副走査方向に２回繰り返しているので、図２に示すようにデータ１１１１００００１１…を副走査方向に２回繰り返すことによって保存用パターンデータに変換する。このようにして変換されたパターンデータは記録部１０６により記録紙に印刷され、記録紙上に保存される。
【００１８】
次に、記録紙上のパターンデータを元の画像データに変換する場合には、ユーザーが装置メニューによりメモリ１０４への再蓄積を選択し、その記録紙を読み取り部１０１にセットする。読み取り部１０１は記録紙を読み取り、２値データに変換する。この２値データはデータ変換部１０５により元のメモリ１０４に蓄積されていたデータに復元され、再度メモリ１０４に蓄積される。図３は読み取り部１０１で読み取られたデータの一例を示す。
【００１９】
データ変換部１０５は元のデータに変換する場合には、同じデータを主走査方向に２回繰り返し、副走査方向に２回繰り返した合計４ビット毎に白（０）、黒（１）で数をカウントし、数の多い方をとってデータの復元を行う。図３の例では、最初の４ビットのデータブロックは本来データ１であるが、何らかの原因でそのうち１つが０に変化している。この時、データ変換部１０５は１の数が３個であるのでデータの数が多いデータ１に変換する。
【００２０】
また、３番目の４ビットのデータブロックは本来データ０であるが、そのうち１つが１に変化している。データ変換部１０５は０の数が３個であるので、データの数が多い０に変換する。４番目の４ビットのブロックも本来データ１であるが、そのうち１つが０に変化している。データ変換部１０５は同様に数の多いデータ１に変換する。このようにしてデータ変換部１０５は４ビット毎にデータの復元を行い、復元が完了するとメモリ１０４に再度蓄積し、必要に応じて印刷を行う。
【００２１】
なお、チェックサムが一致しない場合や、白（０）、黒（１）の数が同数の場合には、エラーとして、ユーザーに知らせ、再度記録紙を読み取らせるようにする。このように本実施形態では、簡単にメモリ１０４に蓄積されたデータを外部保存できる。また、パターンデータテーブルやビットマップ画像への展開回路を持つ必要が無く、確実に記録紙上の保存データを元のデータに復元できる。
【図面の簡単な説明】
【００２２】
【図１】本発明によるファクシミリ装置の一実施形態の構成を示すブロック図である。
【図２】データ変換部のデータ変換の一例を示す図である。
【図３】読み取り部の読み取りデータの一例を示す図である。
【符号の説明】
【００２３】
１０１  読み取り部
１０２  コーデック
１０３  モデム
１０４  メモリ
１０５  データ変換部
１０６  記録部
【図１】
2005109667.tif 000003
【図２】
2005109667.tif 000004
【図３】
2005109667.tif 000005